(57)【特許請求の範囲】
【請求項１】
表示パネルと、前記表示パネルよりも視認者側に配置される液晶バリアパネルとを有する画像表示装置であって、
前記液晶バリアパネルは、第1の基板と、第1の辺と前記第１の辺と対向する第２の辺と複数の端子が設けられた第３の辺とを有する第２の基板と、前記第１基板と前記第２基板との間に挟持された液晶とを有しており、
前記第２の基板には、前記第１の辺と前記第２の辺との間に位置し、第１の方向に延在し、第２の方向に配列する透明電極と、前記透明電極と前記第1の辺との間で前記第２の方向に延在する第1の金属電極と、前記透明電極と前記第２の辺との間で前記第２の方向に延在する第２の金属電極と、前記複数の端子のうち第１の端子と接続し前記第２の方向に延在する金属電極引き出し線とが形成され、
前記透明電極は、前記第１の金属電極と前記第２の金属電極とに接続し、
前記第１の端子から前記金属電極引き出し線が延在し、分岐点において、前記第１の金属電極と前記第２の金属電極に分岐し、
前記第１の金属電極は、前記金属電極引き出し線と同層の配線のまま前記第１の辺に沿って前記第２の方向に延在し、
前記第２の金属電極は、前記金属電極引き出し線と同層に形成され、前記第１の端子とは異なる端子から延在する金属電極引き出し線と重なる位置においては、複数のブリッジ配線によって接続して、前記第２の辺に沿って前記第２の方向に延在することを特徴とする画像表示装置。
【請求項２】
前記複数のブリッジ配線は透明導電膜によって形成されていることを特徴とする請求項１に記載の画像表示装置。
【請求項３】
第1の基板と、第1の辺と前記第１の辺と対向する第２の辺と複数の端子が設けられた第３の辺とを有する第２の基板と、前記第１基板と前記第２基板との間に挟持された液晶と、を有する液晶パネルであって、
前記第２の基板には、第１の方向に延在し、第２の方向に配列する透明電極と、前記第１の辺に沿って前記第２の方向に延在する第1の金属電極と、前記第２の辺に沿って前記第２の方向に延在する第２の金属電極と、前記複数の端子のうち第１の端子と接続し前記第２の方向に延在する金属電極引き出し線とが形成され、
前記透明電極は前記第1の金属電極と前記第２の金属電極とに接続し、
前記第１の端子から前記金属電極引き出し線が延在し、分岐点において、前記第１の金属電極と前記第２の金属電極に分岐し、
前記第１の金属電極は、前記金属電極引き出し線と同層の配線のまま前記第１の辺に沿って前記第２の方向に延在し、
前記第２の金属電極は、前記金属電極引き出し線と同層に形成され、前記第１の端子とは異なる端子から延在する金属電極引き出し線と重なる位置においては、複数のブリッジ配線によって接続して、前記第２の辺に沿って前記第２の方向に延在することを特徴とする液晶パネル。
【請求項４】
前記複数のブリッジ配線は透明導電膜によって形成されていることを特徴とする請求項３に記載の液晶パネル。
【発明の詳細な説明】
【技術分野】
【０００１】
本発明は表示装置に係り、特に液晶によるパララックスバリアパネルを用いた３次元画像表示装置に関する。
【背景技術】
【０００２】
３次元画像の表示方法として、パララックスバリア方式が知られている。パララックスバリア方式とは、パララックスバリアパネル呼ばれる複数の縦方向の細かいスリットが入ったパネルの後方に、右眼からの視野の画像と、左眼からの視野の画像とを交互に並べた画像を表示し、その画像によって、パララックスバリアを介して３次元の画像を表示する方法である。
【０００３】
バリア電極を形成したバリア基板と、共通電極を形成した共通基板の間に液晶を挟持することによってパララックスバリアパネルを形成することが出来る。液晶を用いたパララックスバリアパネルは、液晶を駆動するためのバリア信号を印加したときは３次元画像表示をすることが出来、バリア信号を印加しないときは、２次元画像表示をすることが出来るという利点を有している。
【０００４】
特許文献１には、バリア電極を２層構造とし、バリア側と透過側とを短時間に相互に入れ替えることによって、パララックスバリアパネルによる透過率の低下を抑えたパララックスバリア方式が記載されている。
【０００５】
特許文献２には、バリア電極の両側に第１透過電極と第２透過電極を配置し、１フレーム内で、第１透過電極と第２透過電極に交互に透過信号とバリア信号を印加することによって、透過率の低下をおさえつつ、深みのある３次元表示を可能にする構成が記載されている。
【先行技術文献】
【特許文献】
【０００６】
【特許文献１】特開２００９−９０８１号公報
【特許文献２】特開２００６−１８９７６６号公報
【発明の概要】
【発明が解決しようとする課題】
【０００７】
パララックスバリアパネルのバリア基板には、表示領域を横切ってバリア電極が形成される。従来方式では、表示領域の一方にバス電極を形成し、そのバス電極から表示領域を横切るようにバリア電極が延在している。この方式では、バリア電極が途中で断線すると、断線した先はバリア機能が損なわれ、そのバリアパネルは不良となる。
【０００８】
本発明の課題は、パララックスバリアにおいて、バリア電極の断線による不良の発生と、バリア電極にバリア信号を供給するバス電極を多層配線にした場合の、静電気等に起因するブリッジ配線の破壊を防止することである。
【課題を解決するための手段】
【０００９】
本発明は以上のような課題を解決するものであり、同じバリア電極に対し、表示領域の両側に形成されたバス電極からバリア信号を供給する。こうすることによって、バリア電極が断線しても、その場所は１点のみなので、多くの場合は、このような欠陥は無視することができる。これによって、製造歩留まりを大幅に向上させることができる。
【００１０】
一方、バリア電極に表示領域の両側から電圧を供給する場合、両側のバス電極に対して各々端子を配置すると、端子の数が増大する。端子数の増大を抑制するためには、表示領域の左右で同じ電圧となるバス電極には、一つの端子から信号をするようにすればよいが、この構成は多層配線になる。このような多層配線は、隣接するバス電極引き出し線の上を、層間絶縁膜を介してブリッジする構成となる。この場合のブリッジ配線は、コスト低減のために、バリア電極を形成するときに、同時に行われる。バリア電極はＩＴＯ（Ｉｎｄｉｕｍ  Ｔｉｎ  Ｏｘｉｄｅ）によって形成される。
【００１１】
ＩＴＯによるブリッジ配線は、バス電極等を構成する金属よりも抵抗が高いので、例えば、端子から静電気等が侵入した場合、発生する電流によるパワーは、このブリッジ部において、集中的に消費され、その結果、ブリッジ配線が断線するという問題を生ずる。
【００１２】
本発明は、端子から見て、表示領域の両側のバス電極の一方の側においては、ブリッジ配線を形成しないことによって、ブリッジ配線における静電気のパワーの集中を防止して、ブリッジ配線の破壊を防止するものである。具体的な手段は次のとおりである。
【００１３】
（１）表示パネルの上に液晶パララックスバリアパネルを配置した３次元画像表示装置であって、前記パララックスバリアは電極が平面状に形成された第１の基板と、表示領域を有する第２の基板の間に液晶が挟持された構成であり、
前記第２の基板には、第１の方向に延在し、第２の方向に第１のピッチで配列するバリア電極が形成され、前記表示領域の外側で、前記表示領域の第１の辺に沿って第１のバス電極が前記第２の方向に延在し、前記表示領域の外側で、前記表示領域の第１の辺に対向する第２の辺に沿って第２のバス電極が前記第２の方向に延在し、前記バリア電極は前記第１のバス電極と前記第２のバス電極と接続していることを特徴とする３次元画像表示装置。
【００１４】
（２）前記バリア電極にバリア信号を供給する端子の各々から前記表示領域の方向にバス電極引き出し線が延在し、分岐点において、第３の方向に分岐する前記第１のバス電極と第４の方向に分岐する前記第２のバス電極に分岐し、前記第３の方向に分岐する第１のバス電極は、前記バス電極引き出し線と同層の配線のまま前記表示領域の前記第１の辺に沿って前記第２の方向に延在することを特徴とする（１）に記載の３次元画像表示装置。
【００１５】
（３）前記第２のバス電極は、ブリッジ配線によって、他の層に接続し、再び、前記バス電極引き出し線と同層の配線に接続して、前記表示領域の前記第２の辺に沿って前記第２の方向に延在することを特徴とする（２）に記載の液晶表示装置。
【００１６】
（４）前記ブリッジ配線はＩＴＯによって形成されていることを特徴とする（３）に記載の液晶表示装置。
【００１７】
（５）表示パネルの上に液晶パララックスバリアパネルを配置した３次元画像表示装置であって、前記パララックスバリアパネルは電極が平面状に形成された第１の基板と、表示領域を有する第２の基板の間に液晶が挟持された構成であり、前記第２の基板には、第１の方向に延在し、第２の方向に第１のピッチで配列する第１のバリア電極と、前記第１の方向に延在し、前記第２の方向に第１のピッチで配列する第２のバリア電極とが層間絶縁膜を挟んで形成され、
平面で視て、前記第１のバリア電極と前記第１のバリア電極の間は、前記第２のバリア電極によって塞がれており、バリア電極対は、平面で視て、隣接し、かつ、同電位が印加される一対の前記第１のバリア電極と前記第２のバリア電極から形成され、前記バリア電極対は前記第２の方向に第１のピッチで配列し、第１のバス電極が前記表示領域の外側で、前記表示領域の第１の辺に沿って前記第２の方向に延在し、第２のバス電極が前記表示領域の外側で、前記表示領域の前記第１の辺に対向する第２の辺に沿って前記第２の方向に延在し、前記バリア電極対の前記第１のバリア電極は、前記第１のバス電極と前記第２のバス電極と接続していることを特徴とする３次元画像表示装置。
【００１８】
（６）前記第１のバリア電極にバリア信号を供給する端子の各々から前記表示領域の方向にバス電極引き出し線が延在し、分岐点において、第３の方向に分岐する前記第１のバス電極と第４の方向に分岐する前記第２のバス電極に分岐し、前記第３の方向に分岐する第１のバス電極は、前記バス電極引き出し線と同層の配線のまま前記表示領域の前記第１の辺に沿って前記第２の方向に延在することを特徴とする（５）に記載の３次元画像表示装置。
【００１９】
（７）前記第２のバス電極は、ブリッジ配線によって、他の層に接続し、再び、前記バス電極引き出し線と同層の配線に接続して、前記表示領域の前記第２の辺に沿って前記第２の方向に延在することを特徴とする（６）に記載の液晶表示装置。
【００２０】
（８）前記ブリッジ配線はＩＴＯによって形成されていることを特徴とする（７）に記載の液晶表示装置。
【図面の簡単な説明】
【００２１】
【図１】本発明におけるパララックスバリア方式の３次元画像表示装置の断面模式図である。
【図２】パララックスバリア方式の原理を示す断面模式図である。
【図３】バリアパネルの動作を示す断面図である。
【図４】アイトラッキングのシステムを示す模式図である。
【図５】複数のバリア電極によってバリア領域を形成し、視差特性を改善する動作を示す断面図である。
【図６】複数のバリア電極によってバリア領域を形成する例である。
【図７】単層配線によって視差特性を改善するバリア電極を有するパララックスバリアパネルの平面図の例である。
【図８】２層方式のバリア電極を有するパララックスバリアパネルの断面図である。
【図９】本発明によるパララックスバリアパネルの平面図である。
【図１０】図９のパララックスバリアパネルの等価回路である。
【図１１】図１０のＡ部詳細を示す平面図である。
【図１２】図１１のＡ−Ａ断面図である。
【図１３】図９に示す構成において、端子に静電気が侵入した場合の等価回路である。
【図１４】図１１に示す回路構成を使用しない場合のパララックスバリアパネルの平面図である。
【図１５】図１４のパララックスバリアパネルの等価回路である。
【図１６】図１４に示す構成において、端子に静電気が侵入した場合の等価回路である。
【発明を実施するための形態】
【００２２】
以下に実施例を用いて本発明の内容を詳細に説明する。
【実施例１】
【００２３】
図１は、本発明による３次元画像表示装置の断面模式図である。図１に示す装置は、液晶表示パネル３０００によって形成された画像を液晶パララックスバリアパネル１０００を用いて３次元画像を視認できる構成となっている。液晶パララックスバリアパネル（以後液晶パネル又はパララックスバリアパネルという）１０００と液晶表示パネル３０００とは透明接着材２０００によって接着している。
【００２４】
液晶表示パネル３０００は、ＴＦＴと画素電極を有する画素がマトリクス状に形成されたＴＦＴ基板３５０と対向基板４００がとシール材によって貼りあわされ、内部に液晶が封止された構成である。ＴＦＴ基板３５０には走査線が第１の方向に延在して、第２の方向に配列し、映像信号線が第２の方向に延在し、第１の方向に配列している。走査線と映像信号線に囲まれた部分が画素となっている。対向基板４００には、一般には、ＴＦＴ基板３５０の走査線あるいは映像信号線に対応した部分にブラックマトリクスが形成され、画面のコントラストの向上を図っている。
【００２５】
液晶表示装置は、自分では発光しないので、液晶表示パネル３０００の背面にバックライト４０００が配置されている。バックライト４０００は光源の他、導光板、拡散板、場合によっては、光の利用効率を向上させるためのプリズムシート等の光学部品を含んでいる。
【００２６】
図２はパララックスバリア方式の３次元画像表示の原理を示す断面図である。バリアパターン６００に形成されたバリア領域６１０と開口領域６２０によって、右眼は表示装置８００に形成された右眼用の画像Ｒのみを認識し、左眼は左眼用の画像Ｌのみを認識することによって、人間は、３次元画像を認識することが出来る。
【００２７】
図３は液晶パララックスバリアパネルの動作原理を示す断面図である。図３（ａ）も図３（ｂ）もＴＮ（Ｔｗｉｓｔｅｄ  Ｎｅｍａｔｉｃ）方式の液晶パネルである。共通基板２００の外側には上偏光板２１００が貼り付けられ、バリア基板１００の外側には下偏光板１１００が貼り付けられている。図３（ａ）において、共通基板２００には共通電極２１０が平面状に全面に形成され、バリア基板１００には、所定のピッチでストライプ状のバリア電極１１０が座標ｙ方向に延在している。液晶分子３００はバリア基板１００から共通基板２００にかけ、９０度ツイストしている。図３（ａ）は、共通電極２１０とバリア電極１１０との間に電圧が印加されていない状態であり、液晶表示パネルからの光は変調を受けない。したがって、この場合は、２次元画素が表示される。
【００２８】
図３（ｂ）は同じパララックスバリアパネルのバリア電極１１０に対して１つおきに電圧を印加した場合である。バリア電極１１０に電圧が印加された領域は光が遮断され、バリア電極１１０に電圧が印加されない領域は光が透過する。これによって、パララックスバリアパネル主面から見ると、ストライプ状の遮光領域とストライプ状の開口領域が交互に形成されて見える。なお、図３（ｂ）において、矢印Ｆは電界を示している。
【００２９】
パララックスバリア方式では、図２に示すように、完全な３次元画像を表現するには、人間の眼とパララックスバリアパネルとを所定の位置に固定する必要がある。人間の眼が横方向に移動すると、本来は、左眼だけに認識されるべき画素が右眼にも認識され、あるいは、本来は、右眼だけに認識されるべき画素が左眼にも認識されるようになる。これをクロストークと呼んでおり、３次元画像の品位が低下する。
【００３０】
これを防止するために、バリアの位置を人間の眼の位置に合わせて移動させる方式がある。図４は、人間の眼の移動をカメラによって追跡し、このデータを表示装置にフィードバックするシステムを示すブロック図である。以後このシステムをアイトラッキング方式と呼ぶ。図４において、人間の眼１２０の位置をカメラで測定する。このカメラは、携帯端末等における写真用カメラを使用すれば、特別に専用カメラを用いなくとも、このシステムを適用することが出来る。
【００３１】
図４において、カメラで検出した人間の眼１２０の位置を位置検出器に入力し、位置検出器からバリア制御器にこの信号を入力する。バリア制御器は、バリア基板におけるバリアパターンの位置を制御するための信号を作り、この信号をパララックスバリアパネルを有する立体表示装置（３次元表示装置）に入力する。
【００３２】
図５は、人間の眼１１０が移動した場合にも、右眼用の画素と左眼用の画素がクロストークしないように、人間の眼１２０の移動に合わせてバリアパターン６００を移動することを示す模式図である。図５において、人間の眼１２０はバリアパターン６００を介して画素パターン８００を視認するので、人間は３次元画像を認識することが出来る。図５は、図５（ａ）から（ｃ）にかけて人間の眼が紙面に向かって左から右方向に移動していることを示している。図５（ａ）から（ｃ）の一番下の短冊パターンは、人間の眼の動きに合わせてバリアパターン６００のうちの１つのバリア移動域の中で、バリア領域６１０が左から右方向に移動していることを示している。これによって、右眼用の画素と左眼用の画素のクロストークを防止することができる。
【００３３】
図６は、パララックスバリアパネルにおいてバリアパターン６００を移動させるための電極構造を示すものである。図６において、共通基板２００には共通電極２１０が平面状に形成されていることは従来と同じである。一方、バリア基板１００におけるバリア電極１１０は紙面垂直方向に延在するストライプ状であるが、バリア電極のピッチｐｂはバリアパターンのうちの１つのバリア移動域のピッチｐｐの１/１０である。図６の構成は１０段階の視差に対応することが出来るが、もっと細かい段階に分割することも可能である。図６においては、５本のバリア電極１１０をｏｎすることによってバリア領域を形成し、ｏｆｆ状態の５本のバリア電極１１０に対応して開口領域６２０が形成されている。ｏｎにするバリア電極の数は５本に限定されるものではない。バリア領域６１０の位置を移動させるには、バリア領域６１０における片側のバリア電極１１０をｏｆｆし、バリア領域６１０の他の側のバリア電極１１０をｏｎさせればよい。
【００３４】
このように、複数のバリア電極１１０によってバリア領域６１０を形成することで、バリア領域６１０の位置を移動させることが出来、アイトラッキングによるフィードバックを正確に行うことが出来る。なお、図６において、バリア電極１１０がｏｎになっている領域にバリア領域６１０が形成され、バリア電極１１０がｏｆｆになっている領域に透過領域６２０が形成されている。また、バリア電極１１０がｏｎになっている状態は、バリア電極１１０に電圧が印加されている状態のことである。
【００３５】
図７は、図６に示すパララックスバリアパネルにおいて、バリア電極１１０のピッチｐｂがバリアパターンのピッチｐｐの１/２の場合の平面図である。つまり、図７のパララックスバリアパネルは、２段階の視差のアイトラッキング方式に対応することが出来る。図７において、バリア基板１００の上に共通基板２００が配置し、バリア基板１００と共通基板２００の間に液晶が挟持されている。バリア基板１００は、共通基板２００よりも大きく形成されており、バリア基板１００が１枚になっている部分は端子領域１６０になっている。端子領域１６０には２個のバリア電極用端子１５と１個の共通電極用端子２５が配置している。共通端子２５は、共通配線２０、共通配線接続部２２を介して共通基板２００に形成された共通電極２１０と接続する。  ２個のバリア電極端子１５の一方は、表示領域１５０の左方において縦方向に延在するバス電極３０と接続し、他方は、表示領域１５０の右方において縦方向に延在するバス電極３０と接続する。図７において、バリア電極１１０は、左側のバス電極３０および右側のバス電極３０から交互に表示領域の横方向に延在している。表示領域１５０において、バリア電極１１０は縦方向にピッチｐｂで配列している。バリア基板は、第１の辺と、第２の辺とを有しており、バス電極は第１の辺と第２の辺とに沿って設けられている。図７において、共通配線は第２の辺に沿って設けられている。また、バリア電極用端子１５は、第３の辺に設けられている。
【００３６】
図７のパララックスバリアパネルでは、バリア電極１１０が途中で断線した場合、断線部から先は、バリア機能を有さないので、そのパララックスバリパネルは不良になる。本発明では、このような問題を無くすために、後で説明するように表示領域１５０の両側にバス電極３０を形成し、両側のバス電極３０からバリア電極１１０にバス電圧を供給するようにする。一方、このような配線を１層で行おうとすると端子の数が多くなる。端子の数を増やさないためには、端子付近において、２層配線とする必要がある。
【００３７】
また、図７に示すパララックスバリアパネルは、２段階の視差にしか対応することが出来ない。３段階以上の視差に対応しようとすると、図７のような配線構造では対応できず、バリア電極１１，１２とバス電極３０の接続も多層配線にする必要がある。また、バリア電極１１０を構成するＩＴＯは完全な透明ではなく、所定の透過率を有しているので、ＩＴＯパターンによる明パターンと暗パターンが繰り返されるために、２次元画像表示においてもモアレが発生する。
【００３８】
図６のように、バリア領域をより多数のバリア電極１１０で構成すれば、アイトラッキングにおける、より細かい視差に対応することが出来る。しかし、図６の構成は、バリア電極１１０の間に光を透過するスリット１１５が存在するので、バリア領域であっても、明パターンと暗パターンが繰り返されるために、３次元画像表示において、モアレを発生する。また、バリア電極１１０を構成するＩＴＯは完全な透明ではなく、所定の透過率を有しているので、ＩＴＯパターンによる明パターンと暗パターンが繰り返されるために、２次元画像表示においてもモアレが発生する。
【００３９】
図８はこの問題を解決するパララックスバリアパネルの断面図である。図８が図６と異なる点は、バリア基板１００側において、バリア電極１１０を上層バリア電極１１と下層バリア電極１２で構成している点である。上層バリア電極１１と下層バリア電極１２の間には第１層間絶縁膜６１が存在している。図１１において、１個の上層バリア電極１１と平面で視て隣接する１個の下層バリア電極１２には同じ電圧が印加され、この電極対で、バリア電極対を形成している。上層バリア電極１１と上層バリア電極１２との間には、平面で視て、下層バリア電極１２が存在しているので、上層バリア電極１１と上層バリア電極１１の間には、スリット状の透過領域は存在しない。したがって、モアレの発生を防止することが出来る。
【００４０】
図８において、下層バリア電極１２の幅は、上層バリア電極１１と上層バリア電極１１の間隔と同一でもよいが、バリア基板１００と共通基板２００の合わせ精度を考慮すると、下層バリア電極１２の幅は、上層バリア電極１１と上層バリア電極１１の間隔よりもやや大きいほうが好ましい。図８では、上層バリア電極１１と下層バリア電極１２の幅は同一となっているが、異なるように形成してもよい。すなわち、上層バリア電極１１のほうが下層バリア電極１２よりも幅広になるように形成してもよいし、その逆でもよい。図８は、上層バリア電極１１のピッチｐｂがバリアパターンのピッチｐｐの１/６の場合である。すなわち、図８は６段階の視差に対応することが出来る。
【００４１】
図９は、本発明のパララックスバリアパネルを示す平面図である。図９は、同一のバリア電極１１に対して、両側に形成されたバス電極３０からバリア電位を供給している。したがって、仮に、バリア電極１１が断線をしても、問題は、断線した１点のみなので、３次元画像にほとんど影響を与えない。また、表示領域におけるバリア電極１１はＩＴＯで形成され、抵抗が金属配線に比べて大きいが、両側から給電することによって、応答の遅れを防止することができる。なお、第１バリア電極および第２バリア電極は透明電極であるＩＴＯで形成され、バス電極は、例えば、ＭｏＣｒ等の合金または金属によって形成されている。
【００４２】
図９の表示領域は、図８に示す方式において、上層バリア電極１１のピッチｐｂがバリアパターンのピッチｐｐの１/４の場合の平面図となっている。すなわち、図９は、４段階の視差に対応することが出来る。図９において、４視差に対応するために、バリア電極端子１５は４個配置されている。また、図９では、バリア電極に対して両側のバリア電極から給電しているが、図９に示す領域Ａにおいて、多層配線としているので、バリア電極端子１５の数は、４個で済んでいる。
【００４３】
図１０は、図９に対応する等価回路である。表１は、図１０における抵抗および容量の内容である。図１０の特徴は、バリア電極１１および１２に対して、両側のバス電極３０からバリア信号を供給しているが、図９の領域Ａに対応する部分において、ＩＴＯによるブリッジ配線を用いることによって、端子の数を抑えていることである。
【００４４】
【表１】
0006514938.tif 000002
【００４５】
図１１は、図９の領域Ａに対応する平面図である。図１１において、バス電極引き出し線３１をまたいでＩＴＯによるブリッジ配線３５が形成されている。図１２は図１１のＢ−Ｂ断面図である。図１２において、基板１００の上にバス電極３０および、バス電極と端子とを接続するバス電極引き出し線３１が形成され、その上を層間絶縁膜６０が覆っている。層間絶縁膜６０の上にＩＴＯによるブリッジ配線３５が形成され、これを覆って保護膜６１が形成されている。バス電極３０とバス電極３０は、層間絶縁膜に形成されたスルーホール４０を介してブリッジ配線３５によって接続している。層間絶縁膜６０あるいは保護膜６１は、例えばＳｉＮで形成される。
【００４６】
図１３は、図９あるいは図１０の端子ＴＴから静電気が侵入した場合の等価回路である。図１３において、Ｃ１はバス電極引き出し線とコモン電極との容量であり、図１０におけるＣＳ３Ｃｔに対応している。図１３の左側の回路におけるＲ２１はバス電極の抵抗で図１０のＲＳ３Ｌに対応し、Ｃ２１は、コモン電極とバス電極の間の容量ＣＳ３ＣＬに対応し、Ｒ２２は、バス電極とバリア電極の接続抵抗ＲＳ３ＬＡに対応し、Ｒ２３はバリア電極の抵抗ＲＳ３ａに対応している。また、Ｃ２２は、バリア電極とコモン電極の間の容量ＣＳ３Ｃａに対応している。
【００４７】
図１３の右側の回路におけるＲＢ１は図１０におけるブリッジ配線の抵抗ＲＳ３ｔ３に対応している。Ｒ３１はバス電極の抵抗で図１０のＲＳ３Ｒに対応し、Ｃ３１は、コモン電極とバス電極の間の容量ＣＳ３ＣＲに対応し、Ｒ３２は、バス電極とバリア電極の接続抵抗ＲＳ３Ｒａに対応し、Ｒ３３はバリア電極の抵抗ＲＳ３ａに対応している。また、Ｃ３２は、バリア電極とコモン電極の間の容量ＣＳ３Ｃａに対応している。Ｒ２３とＲ３３は同一である。また、Ｃ２２とＣ３２は同程度の大きさである。図１３の特徴は、回路の左側には、ブリッジ配線抵抗ＲＢ１が存在しないことである。
【００４８】
図１３において、端子Ｔ１１に静電気が侵入したとする。図１３において、Ｃ１は非常に小さいので、分岐点Ｐにおける静電気の電圧はほとんど減衰せず、直ちに静電気の電圧Ｖｐになる。分岐点Ｐから左側には、Ｉ２が流れ、分岐点Ｐから右側にはＩ３が流れる。図１３において、左側の回路は配線抵抗ＲＢ１が無い分、抵抗が小さいので、Ｉ２＞Ｉ３である。しかし、バス電極の抵抗２１は広い面積に分布しているので、大きな電流Ｉ２が流れ、バス電極で静電気による電力が消費されても、バス電極が溶断することはない。
【００４９】
一方、図１３の右側の回路におけるブリッジ抵抗ＲＢ１は、ＩＴＯで形成されているので、抵抗は大きく、また、極めて小さい面積で形成されている。したがって、ＲＢ１において、大きな電力が消費されると、ＲＢ１が溶断する恐れがある。しかし、図１３では、Ｉ２＞Ｉ３となるので、ブリッジ抵抗ＲＢ１、ＲＢ２で消費される電力は小さく、溶断は免れる。
【００５０】
なお、図１３において、バリア電極はＩＴＯで形成され、バス電極とバリア電極を接続する配線もＩＴＯで形成されることがあるが、これらの抵抗を流れる電流は、Ｉ２−Ｉ２１であり、電流が小さくなっているのに加え、バリア電極に分布しているＣ２１を通しても電流が小さくなるので、静電気による電流で溶断することはない。
【００５１】
図１４は図９の構成を使用しない場合の例である。図１４が図９と異なる点は、領域Ｂにおけるバス電極引き出し線３１の接続方法である。図１４において、端子ＴＴとその左側の端子の接続が図９と異なっている。端子ＴＴと接続するバス電極引き出し線３１は、分岐点の両側において、ブリッジ配線３５が存在している。その他は図９と同じである。
【００５２】
図１５は図１４に対応する等価回路である。図１５が図１０と異なる点は、端子ＴＴおよびその左側の端子の接続方法である。その他の配線は、図１０と同様である。図１５においては、端子ＴＴに接続するバス電極引き出し線３１の分岐点Ｐの両側にブリッジ配線抵抗が存在している。すなわち、左側の回路には、ＲＳ２ｔ２が存在し、右側の回路には、ＲＳ２ｔ３が存在している。
【００５３】
図１６は、図１４の構成において、端子ＴＴに静電気が侵入した場合の透過回路である。図１６が図１３と異なる点は、端子ＴＴからの分岐点Ｐにおいて、左側にはブリッジ配線抵抗ＲＢ１が存在し、右側の回路にはブリッジ配線抵抗ＲＢ２が存在していることである。すなわち、図１６では、分岐点Ｐの両側において対称の回路となっている。
【００５４】
図１６において、端子Ｔ１１に静電気が侵入したとする。図１６において、Ｃ１は非常に小さいので、分岐点Ｐにおける静電気の電圧はほとんど減衰せず、直ちに静電気の電圧Ｖｐになることは図１３と同じである。分岐点Ｐから左側には、Ｉ２が流れ、分岐点Ｐから右側にはＩ３が流れる。図１３において、左側の回路と右側の回路は対称なので、Ｉ２＝Ｉ３である。つまり、静電気の電圧Ｖｐが大きいと、Ｉ２およびＩ３は大きな電流になりうる。
【００５５】
図１６の左側の回路において、ＲＢ１はＩＴＯによるブリッジ配線の抵抗であるから比較的大きい抵抗であり、かつ、面積は極めて小さい。そうすると、極めて小さい面積において、静電気によって発生した電力が消費されるので、このブリッジ配線は溶断の恐れがある。図１６の右側の回路におけるブリッジ配線の抵抗ＲＢ２についても同様である。
【００５６】
図９乃至図１３に示す回路は、端子から見た配線を非対称にして、静電気が発生したときの、電流の大きさを左右非対称とし、ブリッジ配線における消費電力を小さくし、ブリッジ配線における静電気による断線を防止することができるという特徴を有する。つまり、図９乃至図１３に示す回路は、図１４乃至図１６の回路に比べて、静電気に対する耐力が高いということができる。
【００５７】
以上の説明は、端子ＴＴについて行ったが、他のバリア電極端子の場合についても同じである。つまり、図１３に示した回路構成において、一方の回路においては、バス電極においてブリッジ配線を使用しないという構成は、すべての端子と接続するバス電極において満足していることが望ましい。
【００５８】
また、以上の説明では、バリアの視差を４段階であるとした場合について説明したが、この発明は、バリアの視差が２乃至３段階の場合であっても、また、５段階以上の場合であっても適用することができる。
【００５９】
さらに以上の説明では、表示領域において、バリア電極として第１のバリア電極と第２のバリア電極がペアで形成されている場合について説明した。しかし、本発明は、図６に示すように、バリア電極が第１のバリア電極のみで形成されている場合についても適用することができる。
【符号の説明】
【００６０】
１１…上層バリア電極、  １２…下層バリア電極、  １５…バリア電極端子、  ２０…共通配線、  ２２…共通配線接続部、  ２５…共通配線端子、  ３０…バス電極、  ３１…バス電極引き出し線、  ３５…ブリッジ配線、  ４０…スルーホール、  ６０…層間絶縁膜、  ６１…保護膜、  １００…バリア基板、  １１０…バリア電極、  １１５…スリット、  １２０…人間の眼、  １２０Ｒ…右眼、  １２０Ｌ…左眼、  １５０…表示領域、  １６０…端子領域、  ２００…共通基板、  ２１０…共通電極、  ３００…液晶分子、  ３５０…ＴＦＴ基板、  ４００…対向基板、  ６００…バリアパターン、  ６１０…バリア領域、  ６２０…開口領域、  ８００…画素パターン、  １０００…バリアパネル、  １１００…下偏光板、  ２０００…接着材、  ２１００…上偏光板、  ３０００…液晶表示パネル、  ４０００…バックライト、  Ｌ…左眼用画素、  Ｒ…右眼用画素
【図１】
0006514938.tif 000003
【図２】
0006514938.tif 000004
【図３】
0006514938.tif 000005
【図４】
0006514938.tif 000006
【図５】
0006514938.tif 000007
【図６】
0006514938.tif 000008
【図７】
0006514938.tif 000009
【図８】
0006514938.tif 000010
【図９】
0006514938.tif 000011
【図１０】
0006514938.tif 000012
【図１１】
0006514938.tif 000013
【図１２】
0006514938.tif 000014
【図１３】
0006514938.tif 000015
【図１４】
0006514938.tif 000016
【図１５】
0006514938.tif 000017
【図１６】
0006514938.tif 000018